(57)【要約】【課題】本発明の課題は、枠組みされた障子において、意匠性が良く戸車の後付けが容易にでき、また枠組みされた障子の縦框の見付寸法を小さくできる障子を提供することである。【解決手段】障子７はパネル１０と、パネルに枠組みされた上下の横框１３、１５と左右の縦框１７、１９と、障子の隅部に設けられたコーナ部材２９、３０、３１、３２とを有し、障子の隅部には縦框又は横框にコーナ部材を収納する収納凹部９０、９１、９２、９３を有し、コーナ部材は横框に形成された長手方向のネジ穴端部５１に当接する横框当接部６１と、縦框に形成された上下方向のネジ穴端部５３に当接する縦框当接部６３とを備え、横框のネジ穴端部と横框当接部、及び縦框のネジ穴端部と縦框当接部を夫々ネジ固定するように設けた。【選択図】  図１
2004169328.tif 000002
【特許請求の範囲】
【請求項１】
障子はパネルと、パネルに枠組みされた上下の横框と左右の縦框と、障子の隅部に設けられたコーナ部材とを有し、障子の隅部には縦框又は横框にコーナ部材を収納する収納凹部を有し、コーナ部材は横框に形成された長手方向のネジ穴端部に当接する横框当接部と、縦框に形成された上下方向のネジ穴端部に当接する縦框当接部とを備え、横框のネジ穴端部と横框当接部、及び縦框のネジ穴端部と縦框当接部を夫々ネジ固定していることを特徴とする障子。
【請求項２】
障子はパネルと、パネルに枠組みされた上下の横框と左右の縦框と、障子の隅部に設けられたコーナ部材とを有し、障子の隅部には縦框と横框とに渡って連続し且つコーナ部材を収納する収納凹部を有し、コーナ部材は横框に形成された長手方向のネジ穴端部に当接する横框当接部と、縦框に形成された上下方向のネジ穴端部に当接する縦框当接部とを備え、横框のネジ穴端部と横框当接部、及び縦框のネジ穴端部と縦框当接部を夫々ネジ固定していることを特徴とする障子。
【請求項３】
コーナ部材には戸車ホルダが着脱自在に収納されていることを特徴とする請求項１又は２記載の障子。
【請求項４】
コーナ部材は直方体形状であり、コーナ部材にはその戸先側に戸車ホルダの収納溝を形成し、上面又は下面に支持軸の挿入溝を形成しており、支持軸の挿入溝の開口幅は戸車ホルダの幅より狭く且つ支持軸の軸径よりも広く形成されており、戸車ホルダは収納溝から挿入して、戸車ホルダが収納溝内に係止されることを特徴とする請求項１乃至３の何れかに記載の障子。
【発明の詳細な説明】
【０００１】
【発明の属する技術分野】
本発明は、パネルと、パネルに枠組みされた上下の横框と左右の縦框を有する障子に関し、詳しくは戸車を備えた障子に関するものである。
【０００２】
【従来の技術】
特許文献１には、パネルに枠組みされた上下の横框と左右の縦框とを有する障子であって、戸車を備えたコーナ部材で上下の横框と左右の縦框との連結固定を行うことが開示されている。この公報に記載された従来技術では、予め戸車をコーナ部材に固定し、その後、コーナ部材から水平に延出する締結片を横框の内側に差し込んで横框の上部からネジ止めし、さらにコーナ部材から垂直に延出する締結片を左右縦框の内側に差し込んで左右縦框の横からネジ止めし、戸車の取り付け及び上下の横框と左右の縦框との連結固定を行っている（特許文献１）。
【０００３】
【特許文献１】
特開２００２−１１５４４５号公報
【０００４】
【発明が解決しようとする課題】
上述した特許文献１に開示の技術では、コーナ部材から水平又は垂直に延出する締結片を框の内側に差し込んで固定するため、框の上部又は側部にネジ穴を設ける必要があり、別途加工が必要になり製造が複雑になる。また、戸車をコーナ部材に固定した後に、コーナ部材と横框との固定、及びコーナ部材と左右縦框との固定が必要であるため、コーナ部材を框に固定した後から、戸車の取り付けができないという問題がある。一方、縦框の見付寸法を小さくして意匠性を高める要求がある。
【０００５】
本発明の課題は、枠組みされた障子において、意匠性が良く戸車の後付けが容易にでき、また枠組みされた障子の縦框の見付寸法を小さくできる障子を提供することである。
【０００６】
【課題を解決するための手段】
請求項１に記載の発明は、障子はパネルと、パネルに枠組みされた上下の横框と左右の縦框と、障子の隅部に設けられたコーナ部材とを有し、障子の隅部には縦框又は横框にコーナ部材を収納する収納凹部を有し、コーナ部材は横框に形成された長手方向のネジ穴端部に当接する横框当接部と、縦框に形成された上下方向のネジ穴端部に当接する縦框当接部とを備え、横框のネジ穴端部と横框当接部、及び縦框のネジ穴端部と縦框当接部を夫々ネジ固定していることを特徴とする。
【０００７】
この請求項１に記載の発明では、障子の組み立ては、パネルの周りに上下の横框及び左右の縦框を互いに直交するように枠組みする。そして、コーナ部材の横框当接部を横框のネジ穴端部に当接させ、縦框当接部を縦框のネジ穴端部に当接させて、コーナ部材の内側からネジ留めをして、上下の横框と左右縦框とを連結固定し、障子の組み付けが終了する。
【０００８】
コーナ部材を上下横框及び左右縦框に夫々押し出し成形されたネジ穴端部に当接させて、コーナ部材と上下横框、及びコーナ部材と左右縦框の固定ができるので、コーナ部材を框の上側又は横側から固定するためのネジ穴を別途設ける必要がなく、製造が容易であるとともに、障子の隅部のコーナ部材に収納空間を設けることができる。また、コーナ部材は框の凹部内に収納されるので、障子の見付け面にコーナ部材が露出せず、意匠性が良い。
【０００９】
パネル、上下横框及び左右縦框、コーナ部材等の部材を、それぞれネジ留めによって組み立てできるので、部材ごとに製造及び輸送ができ、工場から組み立てて出荷することに限らず、工務店でも框のバリエーション等の仕様に合わせた組み立てができる。
【００１０】
例えば、障子を廃棄する場合には、コーナ部材と上下横框及び左右縦框とに分別できるので、コーナ部材と上下横框及びコーナ部材と左右縦框のネジ固定を外して、分別廃棄が容易にできる。
【００１１】
請求項２に記載の発明は、障子はパネルと、パネルに枠組みされた上下の横框と左右の縦框と、障子の隅部に設けられたコーナ部材とを有し、障子の隅部には縦框と横框とに渡って連続し且つコーナ部材を収納する収納凹部を有し、コーナ部材は横框に形成された長手方向のネジ穴端部に当接する横框当接部と、縦框に形成された上下方向のネジ穴端部に当接する縦框当接部とを備え、横框のネジ穴端部と横框当接部、及び縦框のネジ穴端部と縦框当接部を夫々ネジ固定していることを特徴とする。
【００１２】
この請求項２に記載の発明では、請求項１の発明と同様の作用効果を奏するとともに、障子の隅部には縦框と横框とに渡って連続し且つコーナ部材を収納する収納凹部を有しているので、上下の横框に形成する収納凹部の見付け方向の幅の分だけ、左右の縦框に形成する収納凹部の見付け方向の幅を小さくできるので、左右の縦框の見付寸法を小さくすることができる。
【００１３】
請求項３に記載の発明は、請求項１又は２記載の発明において、コーナ部材には戸車ホルダが着脱自在に収納されていることを特徴とする。
【００１４】
この請求項３に記載の発明では、請求項１又は２記載の発明と同様の作用効果を奏するとともに、パネルに上下横框及び左右縦框を枠組み固定した後から、戸車ホルダをコーナ部材に収納することができるので、後付けによって簡単に戸車ホルダを障子に取り付けることできる。
【００１５】
請求項４に記載の発明は、請求項１乃至３の何れかに記載の発明において、コーナ部材は直方体形状であり、コーナ部材にはその戸先側に戸車ホルダの収納溝を形成し、上面又は下面に支持軸の挿入溝を形成しており、支持軸の挿入溝の開口幅は戸車ホルダの幅より狭く且つ支持軸の軸径よりも広く形成されており、戸車ホルダは収納溝から挿入して、戸車ホルダが収納溝内に係止されることを特徴とする。
【００１６】
請求項４に記載の発明では、請求項１乃至３の何れかに記載の発明と同様の作用効果を奏するとともに、戸車ホルダを戸先側から収納溝内に収納するだけで、戸車ホルダがコーナ部材に係止されるので、戸車ホルダを固定するためのネジ穴を別途設ける必要がなく、製造が容易である。また、戸先側が開口した収納溝が設けられているので、戸車ホルダをコーナ部材の水平方向から容易に取り付けできる。
【００１７】
【発明の実施の形態】
以下に本発明の実施の形態を添付図面を参照して詳細に説明する。図１は障子の縦断正面図であり、図２は図１に係る障子の左縦框側の隅部位置の斜視図及びコーナ部材の分解斜視図、図３は縦框の戸先側から見た正面図、図４は引戸装置の分解斜視図、図５は引戸装置の収まり状態を示す斜視図、図６は右縦框側の上隅部を示す斜視図である。
【００１８】
本実施の形態に係る引戸装置１は、並列に配置された上レール３と各上レール３に走行自在に吊り下げられた３枚の障子５、７、９からなり、障子５、７、９の開閉を行っている。また、上レール３の両端には戸車１１のストッパ４が設けられている。
【００１９】
各障子５、７、９は、樹脂製のパネル１０とパネル１０に四方組みされたアルミニウム合金製の上下の横框（上框１３、下框１５）と左右の縦框（左縦框１７、右縦框１９）と、上框１３の端部に設けられた上コーナ部材２９、３０と、下框１５の端部に設けられた下コーナ部材３１、３２とから構成されている。
【００２０】
障子の隅部には、上コーナ部材２９、３０及び下コーナ部材３１、３２が収納される収納凹部９０、９１、９２、９３が形成されている。また、左縦框１７側に設けられる収納凹部９０、９１は左縦框１７内に納まっており、右縦框１９側に設けられる収納凹部９２、９３は右縦框１９と上下の横框１３、１５とに渡って連続して形成されている。
【００２１】
ここで、左縦框１７側の上部に設けられる収納凹部９０に上コーナ部材２９を取り付ける場合について説明する。上コーナ部材２９は、略直方体形状の中空枠体であり、パネル側側面には上框１３に形成されたネジ穴端部５１に当接する上框当接部６１を有し、底面には左右縦框１７、１９に形成されたネジ穴端部５３に当接する縦框当接部６３を有している。そして、上框当接部６１及び縦框当接部６３にはネジ穴６４、６８が形成されており、夫々のネジ穴６４、６８を上框１３のネジ穴端部５１及び左右縦框１７、１９のネジ穴端部５３に合わせ、ネジ３３で連結固定するようになっている。
【００２２】
また、上コーナ部材２９には、その戸先側に戸車ホルダ８の収納溝６５を形成し、上面に戸車１１の支持軸１２の挿入溝６７を形成しており、支持軸１２の挿入溝６７の開口幅は戸車ホルダ８の幅より狭く且つ支持軸１２の軸径よりも広く形成されている。そして、戸車ホルダ８は収納溝６５から挿入してコーナ部材２９に収納されるようになっている。このように、上コーナ部材２９の支持軸１２の挿入溝６７の開口幅が戸車ホルダ８の幅より狭く且つ支持軸１２の軸径よりも広く形成されているので、戸車ホルダ８が上コーナ部材２９から容易に抜けないようになっている。
【００２３】
戸車ホルダ８は戸車１１の支持材であり、戸車ホルダ８には、戸先側の側板７１と側板７１から略水平方向に樹脂製の可動片７３が設けられている。そして、可動片７３が弾性変形して、可動片７３の係合部７２、８４が上コーナ部材２９に設けられた係止溝７４、８５に係止し、戸車ホルダ８が収納溝６５に嵌合されるようになっている。また、側板７１の表面には操作部６６が設けられており、操作部６６を指で挟むことで、可動片７３が弾性変形して、係合部７２、８４の係合が外れるようになっている。
【００２４】
また、戸車１１は高さ調整が可能であり、戸車ホルダ８の側板７１の戸先側表面に設けられた調整つまみ７６の操作により支持軸１２を上下動させ、戸車１１の高さを調整している。詳しくは、調整つまみ７６にはドライバの操作溝が形成されており、調整つまみ７６に連結した軸７７の先端に、駆動平歯車７８が固定されている。また、駆動平歯車７８に直交して従動平歯車７９が戸車ホルダ８に固定されており、夫々の平歯車７８、７９は互いに噛合っている。また、支持軸１２の下部にはネジ８０が形成されており、従動平歯車７９の回転によって支持軸１２が上下動するようになっている。すなわち、調整つまみ７６のドライバ操作によって、駆動平歯車７８が回転し、これに噛合って回転する従動歯車７９によって支持軸１２が上下動し、戸車１１の高さが調整される。また、側板７１の表面にはパネル６９が取り付けられ、調整つまみ７６が隠されている。
【００２５】
次に、右縦框１９側の上部に設けられる収納凹部９２に上コーナ部材３０を取り付ける場合について説明する。収納凹部９２は、右縦框１９の上部に形成した溝９５と、この溝９５に連続する上框１３側の溝９７が形成されている。そして、この収納凹部９２に上述した上コーナ部材２９と同じ構成の上コーナ部材３０を取り付けることで、上框１３と右縦框１９との連結を行っている。この場合、上框１３に形成する溝９７の左右方向の長さ寸法分だけ、右縦框１９に形成する溝９５の左右方向の長さを小さくできるので、右縦框１９の見付け幅を小さくすることができ、意匠性を高めることができる。尚、下コーナ部材３１、３２の取り付けも上コーナ部材２９、３０と同様である。
【００２６】
次に、障子５、７、９の連結状態を説明する。左右の障子５、９の下框１５の左右の縦框間に直線状の案内溝部２１が形成されており、この案内溝部２１は中央障子７の左右縦框１７、１９の下端に設けられた係合部２７の移動を案内している。これにより、例えば左側障子５を閉じる方向に移動すると、係合部２７が案内溝部２１の端に設けてあるストッパ３７に突き当たる。そして、左の障子５の移動が更に閉じ方向に移動すると、中央障子７が連動して動くようになっている。
【００２７】
左縦框１７の内側には係止部材３９が設けられており、係合をはずすと自重によって下方に落下し、床面に摩擦接触して、障子５、７、９の動きを規制するようになっている。
【００２８】
次に、本実施の形態の作用を説明する。障子７の組み立ては、パネル１０の周りに上下の横框１３、１５と左右の縦框１７、１９を互いに直交するように枠組みする。そして、障子７の隅部の収納凹部９０に上コーナ部材２９を嵌め込む。左縦框１７の収納凹部９０に上コーナ部材２９を嵌め込む場合には、上コーナ部材２９の右側面である上框当接部６１を上框１３の端部であるネジ穴端部５１に当接させる。また、上コーナ部材２９の底面である縦框当接部６３を左縦框１７のネジ穴６０の上端のネジ穴端部５３に当接させる。
【００２９】
そして、上コーナ部材２９のネジ穴６８と上框１３のネジ穴５２、上コーナ部材２９のネジ穴６４と左縦框１７のネジ穴６０の位置をそれぞれ合わせ、上コーナ部材２９の内側からドライバを差し込んで、ネジ３３で固定し、上框１３と左縦框１７とが連結固定される。また、右縦框１９の収納凹部９２に上コーナ部材３０を嵌め込む場合には、上框当接部６１を上框１３のネジ穴端部５１に当接させ、また上コーナ部材３０の底面である縦框当接部６３を右縦框１９の上端のネジ穴端部５３に当接させる。そして、上コーナ部材３０の内側からドライバを差し込んで、ネジ３３で固定し、上框１３と右縦框１９とが連結固定される。左縦框１７と下框１５及び右縦框１９と下框１５との連結固定も同様に行う。そして、上コーナ部材２９、３０に戸車ホルダ８を取り付けて障子７の組み付けが終了する。コーナ部材２９、３０、３１、３２は収納凹部９０、９１、９２、９３に取り付けるので、框の見付け面から見えず、意匠性が良い。
【００３０】
パネル１０に上下の横框１３、１５と左右の縦框１７、１９を枠組み固定した後から、戸車ホルダ８を上コーナ部材２９、３０に水平方向から収納することができるので、後付けによって簡単に戸車ホルダ８を障子７に取り付けることでき、建付け作業が容易になる。
【００３１】
パネル１０、上下の横框１３、１５と左右の縦框１７、１９、上コーナ部材２９、３０及び下コーナ部材３１、３２及び戸車ホルダ８等の部材を、それぞれネジ止めによって組み立てできるので、部材ごとに製造及び輸送ができ、工場から組み立てて出荷することに限らず、工務店でも框やパネルのバリエーション等の仕様に合わせた組み立てができる。
【００３２】
上コーナ部材２９、３０を上框１３及び左右縦框１７，１９に夫々押し出し成形されたネジ穴端部５３に当接させて、上コーナ部材２９、３０と上框１３、及び上コーナ部材２９、３０と左右縦框１７、１９の固定ができるので、上框１３及び左右縦框１７、１９と上コーナ部材２９、３０をネジ固定するためのネジ穴を別途設け、固定する必要がなく、製造が容易である。
【００３３】
戸車ホルダ８を上コーナ部材２９、３０から容易に取り外すことができるので、上コーナ部材２９、３０の収納溝６５にドライバを差し込んで、上コーナ部材２９、３０と上框１３、及び上コーナ部材２９、３０と左右縦框１７、１９とのネジ３３を外すことで、障子７と上下の横框１３、１５と左右の縦框１７、１９とに分別できる。
【００３４】
本発明は、上述のようなの実施の形態に限定されず、その要旨を逸脱しない範囲内において種々の変形が可能である。例えば、上述の実施の形態では、図２に示すように、左右縦框１７、１９に上框１３が当接して四方組みされた障子に限らず、上框１３に左右縦框１７、１９が当接した障子であって、上框１３に収納凹部９０を形成して上コーナ部材２９を取り付けても良い。
【００３５】
尚、図１には左右の縦框１７、１９の見付寸法が異なる障子７を示しているが、左右の縦框１７、１９の見付寸法が同一の寸法のものであっても良い。
【００３６】
【発明の効果】
請求項１に記載の発明では、障子の隅部の収納凹部にコーナ部材を収納し、コーナ部材を上下横框及び左右縦框に夫々押し出し成形されたネジ穴端部に当接させて、コーナ部材と上下横框、及びコーナ部材と左右縦框の固定ができるので、コーナ部材を框の上側又は横側から固定するためのネジ穴を別途設ける必要がなく、製造が容易である。また、コーナ部材は框の凹部内に収納されるので、障子の見付け面にコーナ部材が露出せず、意匠性が良い。
【００３７】
請求項２に記載の発明では、障子の隅部には縦框と横框とに渡って連続し且つコーナ部材を収納する収納凹部を有しているので、請求項１の効果に加え、上下の横框に形成する収納凹部の左右の見付け方向の幅の分だけ、左右の縦框に形成する収納凹部の左右の見付け方向の幅を小さくできるので、左右の縦框の見付け幅を小さくすることができる。
【００３８】
請求項３に記載の発明では、請求項１又は２の発明と同様に効果を奏するとともに、パネルに上下横框及び左右縦框を枠組み固定した後から、戸車ホルダをコーナ部材に収納することができるので、後付けによって戸車ホルダを障子に取り付けることでき、建築現場での引戸の施工が容易になる。
【００３９】
請求項４に記載の発明では、請求項１乃至３の発明と同様に効果を奏するとともに、戸車ホルダを戸先側から収納溝内に収納するだけで、戸車ホルダがコーナ部材に係止されるので、戸車ホルダを固定するためのネジ穴を別途設ける必要がなく、製造が容易である。また、戸先側が開口した収納溝が設けられているので、戸車ホルダをコーナ部材の水平方向から容易に取り付けできる。
【図面の簡単な説明】
【図１】障子の縦断正面図である。
【図２】図１に係る隅部位置の斜視図及びコーナ部材の分解斜視図である。
【図３】縦框の戸先側から見た正面図である。
【図４】引戸装置の分解斜視図である。
【図５】引戸装置の収まり状態を示す斜視図である。
【図６】図１に係る右縦框側の上隅部を示す斜視図である。
【符号の説明】
１              引戸装置
３              上レール
５、７、９      障子
８              戸車ホルダ
１０            パネル
１１            戸車
１２            支持軸
１３            上框
１５            下框
１７            左縦框
１９            右縦框
２９、３０      上コーナ部材
３１、３２      下コーナ部材
５１、５３      ネジ穴端部
６１            横框当接部
６３            縦框当接部
６４、６８      ネジ穴
６５            収納溝
６７            挿入溝
９０、９１、９２、９３      収納凹部
【図１】
2004169328.tif 000003
【図２】
2004169328.tif 000004
【図３】
2004169328.tif 000005
【図４】
2004169328.tif 000006
【図５】
2004169328.tif 000007
【図６】
2004169328.tif 000008